(57)【要約】【課題】被取付物の運搬時や保管時には厚みが薄くなる状態に変形し、送受信時には金属面との間に充分な間隔を確保する状態に復元し得るＲＦＩＤタグを提供する。【解決手段】ＲＦＩＤインレット２を担持する非金属製の担持板部５と、該担持板部５を被取付物７の外面９から所定間隔で離間させて保持し、かつ圧縮変形すると弾発力を生じる復元ばね６とを具備するインレット保持体３を備えた構成とした。これにより、担持板部５の表面側からの外力によって復元ばね６が圧縮変形すると、担持板部５が被取付物７の外面９に近接する退避状態となる一方、外力が除かれると、圧縮変形した復元ばね６に生じている弾発力によって担持板部５が被取付物７の外面９から所定間隔で離間する定常状態に復帰させることができる。【選択図】図２
2010262540.tif 000002
【特許請求の範囲】
【請求項１】
データを書き換え可能に格納するメモリを具備したＩＣチップと、該ＩＣチップに接続されたアンテナとを備え、前記データを所定の入出力装置と非接触で送受信する機能を備えたＲＦＩＤインレットと、
ＲＦＩＤインレットを担持する非金属製の担持板部と、該担持板部を金属製の被取付物の外面から所定間隔で離間させて保持し、かつ担持板部の表面側からの外力によって圧縮変形して、担持板部を被取付物の外面に近接する退避状態とし、外力が除かれると、弾発力によって担持板部を被取付物の外面から所定間隔で離間する定常状態に復帰させる復元ばねとを具備するインレット保持体と
を備えてなることを特徴とするＲＦＩＤタグ。
【請求項２】
インレット保持体の側部を覆う弾性変形可能な保護カバー体を備えていることを特徴とする請求項１記載のＲＦＩＤタグ。
【請求項３】
インレット保持体が、金属製の被取付物の外面に取付けられる復元ばねの取付板部を備えていることを特徴とする請求項１又は請求項２に記載のＲＦＩＤタグ。
【請求項４】
担持板部を取付板部に近接させて退避状態に保持するストッパーを備えていることを特徴とする請求項３に記載のＲＦＩＤタグ。
【発明の詳細な説明】
【技術分野】
【０００１】
本発明は、金属製の被取付物に取付けて使用するＲＦＩＤタグに関する。
【背景技術】
【０００２】
ＲＦＩＤ（Radio Frequency Identification）システムで用いられる非接触型ＩＣタグ等のＲＦＩＤタグは、ＩＣチップとアンテナとを備えてなり、入出力装置（リーダ・ライタ）との間で電磁波を利用して非接触でコマンド，データ等の信号を送受信し得る機能がある。このＲＦＩＤタグは、入出力装置側のアンテナが放射する有効電磁波ゾーンに進入すると、ＲＦＩＤタグのアンテナが誘導起電力を生成し、該電力により動作状態となって入出力装置からのコマンド，データ等の信号を検出するとともに、そのコマンド信号に従ってＩＣチップが具備するデータの読み書きが可能なメモリに受信データを格納したり、メモリに格納されているデータを入出力装置に送信するものであり、小型軽量で取扱い性に優れているため、近年、交通・レジャー分野，物流分野，セキュリティー分野，工場生産分野，環境分野，その他の幅広い分野で導入が進められている。
【０００３】
このようなＲＦＩＤタグは、金属製の被取付物に直接取付けると、送受信機能が極端に低下したり、送受信不能となることが知られている。そこで、従来はＲＦＩＤタグの裏面に合成樹脂やゴムからなる非金属製のスペーサを配設し、該スペーサを介してＲＦＩＤタグを金属製の被取付物に取付けることにより、ＲＦＩＤタグのアンテナと金属面とを離間させて送受信機能の低下を抑制するようにしていた（例えば、特許文献１参照）。
【先行技術文献】
【特許文献】
【０００４】
【特許文献１】特開２００９−９２０５号公報（「０００４」、図５）
【発明の概要】
【発明が解決しようとする課題】
【０００５】
ところで、上記のようにスペーサを用いる場合、送受信機能の低下を抑制するためには、スペーサの厚みを大きくしてＲＦＩＤタグのアンテナと金属面との間に充分な間隔を確保する必要があるが、スペーサの厚みを大きくすると該スペーサを含むＲＦＩＤタグ全体のサイズが大きくなり、これが被取付物の外面から突出するため、被取付物の運搬時や保管時に嵩張ってしまうという問題点があった。
【０００６】
本発明は、かかる問題点を解決するためになされたものであり、被取付物の運搬時や保管時には厚みが薄くなる状態に変形し、送受信時には金属面との間に充分な間隔を確保する状態に復元し得るＲＦＩＤタグを提供することを目的とするものである。
【課題を解決するための手段】
【０００７】
本発明は、データを書き換え可能に格納するメモリを具備したＩＣチップと、該ＩＣチップに接続されたアンテナとを備え、前記データを所定の入出力装置と非接触で送受信する機能を備えたＲＦＩＤインレットと、ＲＦＩＤインレットを担持する非金属製の担持板部と、該担持板部を金属製の被取付物の外面から所定間隔で離間させて保持し、かつ担持板部の表面側からの外力によって圧縮変形して、担持板部を被取付物の外面に近接する退避状態とし、外力が除かれると、弾発力によって担持板部を被取付物の外面から所定間隔で離間する定常状態に復帰させる復元ばねとを具備するインレット保持体とを備えてなることを特徴とするＲＦＩＤタグである。
【０００８】
ここで、ＲＦＩＤインレットは、ＩＣチップとアンテナとを合成樹脂シート上に担持して構成したり、ＩＣチップとアンテナとを合成樹脂シート上に担持し、これを合成樹脂の外装体で被覆して構成され得る。
【０００９】
前記ＲＦＩＤタグにあって、インレット保持体の側部を覆う弾性変形可能な保護カバー体を備えている構成が提案される。
【００１０】
また、インレット保持体が、金属製の被取付物の外面に取付けられる復元ばねの取付板部を備えている構成が提案される。
【００１１】
さらに、担持板部を取付板部に近接させて退避状態に保持するストッパーを備えている構成が提案される。
【発明の効果】
【００１２】
本発明は、上述したように、データを書き換え可能に格納するメモリを具備したＩＣチップと、該ＩＣチップに接続されたアンテナとを備え、前記データを所定の入出力装置と非接触で送受信する機能を備えたＲＦＩＤインレットと、ＲＦＩＤインレットを担持する非金属製の担持板部と、該担持板部を金属製の被取付物の外面から所定間隔で離間させて保持し、かつ担持板部の表面側からの外力によって圧縮変形して、担持板部を被取付物の外面に近接する退避状態とし、外力が除かれると、弾発力によって担持板部を被取付物の外面から所定間隔で離間する定常状態に復帰させる復元ばねとを具備するインレット保持体とを備えてなるＲＦＩＤタグであるから、復元ばねの一端を金属製の被取付物の外面に取付けることにより、ＲＦＩＤインレットを担持する非金属製の担持板部を被取付物の外面から所定間隔で離間させて保持することができる。このような担持板部が金属製の被取付物の外面から所定間隔で離間して保持される定常状態にあっては、ＲＦＩＤインレットと金属面との間に所定の間隔が確保されて送受信機能の低下が抑制されるため、ＲＦＩＤインレットによるデータの送受信を支障なく行わせることができる。一方、被取付物の運搬時や保管時においては、ＲＦＩＤタグが取付けられた被取付物の外面を、ＲＦＩＤタグを介して他の被取付物の外面やトラックの荷台の壁面或いは建造物の壁面に押し当てると、担持板部の表面側から加わる外力によって復元ばねが圧縮変形し、担持板部が被取付物の外面に近接する退避状態となる。これによりＲＦＩＤタグの厚みが薄くなり被取付物の外面からの突出幅が小さくなるため、ＲＦＩＤタグの厚さに起因する被取付物の嵩張りを解消することができる。また、外力が除かれると、圧縮変形した復元ばねに生じている弾発力によって、担持板部が被取付物の外面から所定間隔で離間する定常状態に自動的に復帰させることができる。
【００１３】
前記ＲＦＩＤタグにあって、インレット保持体の側部を覆う弾性変形可能な非金属製の保護カバー体を備えている構成にあっては、退避状態と定常状態とに変化するインレット保持体の状態変化に保護カバー体をその弾性変形作用を介して追従させることができ、該保護カバー体によって、インレット保持体に側方から加わる衝撃と、インレット保持体内への異物の侵入とを防止することができるとともに、担持板部に担持されたＲＦＩＤインレットを保護することができる。
【００１４】
また、インレット保持体が、金属製の被取付物の外面に取付けられる復元ばねの取付板部を備えている構成にあっては、該取付板部によってインレット保持体の復元ばねを被取付物の外面に容易に取付けることができる。
【００１５】
さらに、担持板部を取付板部に近接させて退避状態に保持するストッパーを備えている構成にあっては、被取付物の運搬時や保管時以外でも、ＲＦＩＤインレットによるデータの送受信を行う必要がないときには、ストッパーによって担持板部を退避状態に保持することにより、ＲＦＩＤタグが被取付物の外面から大きく突出しないため、定常状態において被取付物の外面から突出したＲＦＩＤタグが周辺のものと衝突することによって発生するＲＦＩＤタグの脱落或いは破損や故障を未然に防止することができる。
【図面の簡単な説明】
【００１６】
【図１】第一実施例にかかるＲＦＩＤタグ１Ａの外観斜視図である。
【図２】被取付物７の外面９に取付けられたＲＦＩＤタグ１Ａを示し、（Ａ）は定常状態、（Ｂ）は退避状態の縦断面図である。
【図３】ＲＦＩＤタグ１Ａの使用時における作用説明図である。
【図４】第一実施例の変形実施例にかかるＲＦＩＤタグ１Ａの外観斜視図である。
【図５】第二実施例にかかるＲＦＩＤタグ１Ｂを示し、インレット保持体３と保護カバー体１０とを分離した状態の外観斜視図である。
【図６】（Ａ）は同上のＲＦＩＤタグ１Ｂの定常状態の縦断面図、（Ｂ）は退避状態の縦断面図である。
【図７】第三実施例にかかるＲＦＩＤタグ１Ｃを示し、（Ａ）は外観斜視図、（Ｂ）は被取付物７の外面９に取付けられた状態の縦断面図である。
【図８】第四実施例にかかるＲＦＩＤタグ１Ｄを示し、（Ａ）は外観斜視図、（Ｂ）は退避状態の縦断面図である。
【発明を実施するための形態】
【００１７】
以下に、本発明の第一実施例を、図１〜図３に基づいて説明する。
ＲＦＩＤタグ１Ａは、ＲＦＩＤインレット２と、該ＲＦＩＤインレット２を保持するインレット保持体３とを備えている。
【００１８】
ＲＦＩＤインレット２は、ＩＣチップと、該ＩＣチップに電気的に接続されたアンテナとを備えており、該ＩＣチップとアンテナとが合成樹脂製の絶縁シート上に配設されている。このＲＦＩＤインレット２は、図示しない入出力装置（リーダ・ライタ）との間で電磁波を利用してコマンド，データ等の信号を非接触で送受信し得る非接触型の電池レスタイプとなっている。尚、ＲＦＩＤインレット２は、ＩＣチップとアンテナとを絶縁シート上に配設し、これを合成樹脂の外装体で被覆したものであってもよい。また、ＲＦＩＤインレット２は、ＨＦ帯域（例えば13.56MHz），ＵＨＦ帯域（例えば953MHzや2.45GHz）等の何れの帯域で作動するものであってもよい。
【００１９】
インレット保持体３は、前記ＲＦＩＤインレット２を担持する非金属製の担持板部５と、該担持板部５を金属製の被取付物７（図２参照）の外面９から所定間隔で離間させて保持し、かつ圧縮変形すると弾発力を生じる復元ばね６とからなる。
【００２０】
前記担持板部５は、合成樹脂または合成ゴムを用いて平板矩形状に形成されており、該担持板部５の裏面にＲＦＩＤインレット２が接着剤または粘着テープにより固定されて担持されている。一方、復元ばね６は、金属製または合成樹脂製のコイルばねからなり、四個の復元ばね６が平板矩形状に形成された担持板部５の裏面の四隅位置に接着剤で固着されている。各復元ばね６は、その一端を粘着テープ８（図２参照）によって金属製の被取付物７の外面９に取付けるようにしている。尚、復元ばね６は、担持板部５を被取付物７の外面９から均等に離間させる付勢作用が得られるのであれば、その数及び配設位置は前記構成に限定されるものではない。また、コイルばねに代えて板ばねを用いることも可能である。また、復元ばね６を鉄等の強磁性体で形成した場合には、その一端に着磁処理を施して、その吸着作用によって復元ばね６の一端を金属製の被取付物７の外面９に取付けるようにしてもよい。
【００２１】
インレット保持体３は、担持板部５の表面側からの外力を受けない定常状態にあっては、図２（Ａ）に示すように、担持板部５が復元ばね６によって被取付物７の外面９から所定間隔で離間して保持されている。そして、担持板部５の表面側から外力を受けると、図２（Ｂ）に示すように、復元ばね６が圧縮変形し、担持板部５が被取付物７の外面９に近接する退避状態となる。また、担持板部５の表面側からの外力が除かれると、圧縮変形した復元ばね６に生じている弾発力によって、図２（Ａ）に示すように、担持板部５が被取付物７の外面９から所定間隔で離間する定常状態に復帰する。尚、定常状態において担持板部５が被取付物７の外面９から離間する間隔は１ｃｍ程度に設定することが好ましい。
【００２２】
図３（Ａ）に、被取付物７としての金属製コンテナの側壁の外面９にＲＦＩＤタグ１Ａを取付けた状態を示す。この状態にあっては、ＲＦＩＤインレット２を担持する非金属製の担持板部５が被取付物７の外面９から所定間隔で離間して保持される定常状態（図２（Ａ）参照）となり、送受信機能の低下が抑制されるため、ＲＦＩＤインレット２によるデータの送受信を支障なく行わせることができる。
【００２３】
一方、被取付物７の運搬時や保管時においては、図３（Ｂ）に示すように、ＲＦＩＤタグ１Ａが取付けられた被取付物７の外面９を、ＲＦＩＤタグ１Ａを介して他の被取付物７の外面９やトラックの荷台の壁面１８（或いは建造物の壁面）に押し当てると、担持板部５の表面側から加わる外力によって復元ばね６が圧縮変形し、担持板部５が被取付物７の外面９に近接する退避状態（図２（Ｂ）参照）となる。これによりＲＦＩＤタグ１Ａの厚みが薄くなり被取付物７の外面９からの突出幅が小さくなるため、ＲＦＩＤタグ１Ａの厚さに起因する被取付物７の嵩張りを解消することができる。また、外力が除かれると、圧縮変形した復元ばね６に生じている弾発力によって、担持板部５が被取付物７の外面９から所定間隔で離間する定常状態（図２（Ａ）参照）に自動的に復帰させることができる。
【００２４】
図４は、第一実施例の変形実施例を示し、この変形実施例は、復元ばね６を担持板部５の前後方向または左右方向の二箇所に配設したものである。このようにしても復元ばね６によって、担持板部５を被取付物７の外面９から均等に離間させる付勢作用を得ることができる。
【００２５】
尚、前記第一実施例及び変形実施例にあって、インレット保持体３の担持板部５は矩形状に限定されるものではなく、その他の円形，三角形，多角形等の形状としてもよい。
【００２６】
図５，図６は、第二実施例を示し、この第二実施例のＲＦＩＤタグ１Ｂは、インレット保持体３の側部を覆う保護カバー体１０を備えている。保護カバー体１０は、担持板部５の上面に固着される基板部１１の四辺縁から斜め下方に延成されてインレット保持体３の側部を囲繞する截頭角錐状の傾斜板部１２を備えており、該傾斜板部１２の四箇所のコーナー部分が切込み１３によって分断されている。傾斜板部１２は、担持板部５が被取付物７の外面９から離間して保持される定常状態（図６（Ａ）参照）にあるときに、該被取付物７の外面９に当接する長さに形成されている。この保護カバー体１０の素材には、弾性変形可能な合成樹脂や合成ゴムが用いられる。尚、このような保護カバー体１０を設ける場合には、ＲＦＩＤインレット２を担持板部５の表面側に固定することも可能である。
【００２７】
かかる構成にあって、インレット保持体３が退避状態（図６（Ｂ）参照）と定常状態（図６（Ａ）参照）とに選択的に変化すると、保護カバー体１０がその弾性変形作用を介してインレット保持体３の状態変化に追従する。これにより、インレット保持体３の側部を保護カバー体１０によって常時覆うことができるため、インレット保持体３に側方から加わる衝撃と、インレット保持体３内への異物の侵入とを防止することができるとともに、担持板部５に担持されたＲＦＩＤインレット２を保護することができる。
【００２８】
尚、保護カバー体１０は、傾斜板部１２を担持板部５と一体形成することによって設けることも可能である。
【００２９】
図７は、第三実施例を示し、この第三実施例のＲＦＩＤタグ１Ｃは、インレット保持体３が、金属製の被取付物７の外面９に取付けられる取付板部４を備えている。該取付板部４は、合成樹脂または合成ゴム或いは金属板を用いて担持板部５と同一形状に形成されており、その裏面に設けられた粘着層１４（図７（Ｂ）参照）によって前記被取付物７の外面９に取付けられるようになっている。この粘着層１４には剥離紙（図示省略）が剥離可能に被着されており、被取付物７の外面９に取付けられるまでの間、該剥離紙によってその粘着面が保護されている。尚、粘着層１４は、取付板部４の裏面に粘着剤を塗布して設けたり、両面粘着テープを貼着することによって設けられ得る。また、この粘着層１４に代えて、取付板部４に磁石を配設し、該磁石の磁力によって金属製の被取付物７の外面９に吸着させるようにしてもよい。さらに、取付板部４を鉄板等の強磁性体で形成した場合には、該強磁性体に着磁処理を施してもよい。
【００３０】
かかる構成にあっては、取付板部４によってインレット保持体３の復元ばね６を被取付物７の外面９に容易に取付けることができる。
【００３１】
図８は、第四実施例を示し、この第四実施例のＲＦＩＤタグ１Ｄは、担持板部５を退避状態に保持するストッパー１５，１５を備えている。該ストッパー１５，１５は、担持板部５の上面の辺縁近傍に前後または左右一対で配設されている。各ストッパー１５は略コ字形のフックからなり、該フックの一端が担持板部５の上面の辺縁近傍に固着された取付部材１６を介して上下方向に回動可能に枢結されている。また、取付板部４の辺縁には前記ストッパー１５，１５の他端が係合可能な一対の係合溝１７，１７が形成されている。
【００３２】
かかる構成にあって、ストッパー１５，１５を使用するには、担持板部５を表面側から押圧して該担持板部５が取付板部４に近接する退避状態とし、この状態でストッパー１５，１５の他端を取付板部４の係合溝１７，１７に係合させることにより、図８（Ｂ）に示すように、担持板部５を退避状態に保持することができる。これにより、被取付物７の運搬時や保管時以外でも、ＲＦＩＤインレット２によるデータの送受信を行う必要がないときには、ストッパー１５，１５によって担持板部５を退避状態に保持することにより、ＲＦＩＤタグ１Ｄが被取付物７の外面９から大きく突出しないため、定常状態において被取付物７の外面９から突出するＲＦＩＤタグ１Ｄが周辺のものと衝突することによって発生するＲＦＩＤタグ１Ｄの脱落或いは破損や故障を未然に防止することができる。
【００３３】
尚、上述した第四実施例にあっては、ストッパー１５，１５を担持板部５に配設し、係合溝１７，１７を取付板部４に配設するようにしているが、このストッパー１５，１５と係合溝１７，１７の配置関係を逆にすることも可能である。また、ストッパー１５，１５を略コ字形のフックとしたが、これに代えて一対の平帯体の先端に面ファスナーを設けたものや、一対の平帯体の先端に係脱可能なホックを設けたものであってもよい。
【符号の説明】
【００３４】
１Ａ〜１Ｄ  ＲＦＩＤタグ
２  ＲＦＩＤインレット
３  インレット保持体
４  取付板部
５  担持板部
６  復元ばね
７  被取付物
９  外面
１０  保護カバー体
１５  ストッパー
【図１】
2010262540.tif 000003
【図２】
2010262540.tif 000004
【図３】
2010262540.tif 000005
【図４】
2010262540.tif 000006
【図５】
2010262540.tif 000007
【図６】
2010262540.tif 000008
【図７】
2010262540.tif 000009
【図８】
2010262540.tif 000010